(57)【特許請求の範囲】
【請求項１】
温風を流通させる温風ダクトを床下に配設するとともに、床上吹出口を有する吹出部材を該床上吹出口が室内に露出するように該温風ダクトに連通する状態で設け、更に該温風ダクトには床下吹出口を設けて、該温風ダクトを通じて送った温風の一部を該床下吹出口から床下空間に吹き出させるとともに他の一部を前記床上吹出口から室内に吹き出させるようになし、
該温風ダクトは空気の加熱装置から延び出させるとともに再び該加熱装置へと戻るように配管し、該温風ダクトを通じて且つ該加熱装置を通るように温風を循環・流通させるようになし、
更に前記床下吹出口を前記温風ダクトにおける前記吹出部材の上流側の送出管側に設けるとともに、下流側の戻り管側に床下空間の空気の吸入口を設けたことを特徴とする床暖房装置。
【発明の詳細な説明】
【０００１】
【発明の属する技術分野】
この発明は床暖房装置に関し、詳しくは床下空間を温めることで床暖房を行う形式の装置に関する。
【０００２】
【従来の技術及び発明が解決しようとする課題】
従来一般に用いられている温風暖房では、温められた空気は軽くなって上昇し、床面付近には重く冷たい空気が入り込んでくることから、天井付近の温度が高く、床面付近の、即ち通常の生活レベル空間では温度が低くなってしまうといった問題がある。
【０００３】
これに対して床暖房の場合、この方式は床面からの輻射・熱伝導により暖房するものであるから、床面付近の生活レベル空間が暖かく、また天井付近までの温度差が小さく、ほぼ均一の温度分布が得られる利点がある。
【０００４】
従来、一般的な床暖房のための施工構造は図２に示すようなものであった。
図中（Ａ）は根太上設置型の場合の例で、この例では根太２００上の床板２０２の上側に配管埋設層２０３を形成し、更にその上側に床仕上材２１０を敷設したものである。
【０００５】
ここで配管埋設層２０３は、床暖房用の媒体を流通させる配管２０４と、これを保持する拡熱板２０６及び断熱材２０８からなっている。
配管２０４は、拡熱板２０６と同じく金属製の伝熱板２１４に形成された保持溝２１２内部に挿入保持されており、その伝熱板２１４の拡熱板２０６への固定によって、かかる拡熱板２０６に取付・保持されている。
尚、２１６は大引きである。
【０００６】
一方図２（Ｂ）は根太間設置型の場合の例で、この例は拡熱板２０６に保持溝２１２を形成してそこに配管２０４を挿入保持させ、その状態でそれらを根太２００と２００との間に断熱材２０８とともに挿入して配管埋設層２０３を形成し、そしてその上に床板２０２及び床仕上材２１０を敷設している。
【０００７】
しかしながらこれらの床暖房装置の場合、配管２０４同士の接続を含む現場施工が大変で、作業に熟練を要するといった問題がある。
そこで配管を収容保持する保持溝を所定配列で備えたパネルを予め用意しておいて、そのパネル（配管モジュール）を施工現場に搬入して敷設施工し、その保持溝に配管を挿入セットして、その上側から床仕上材を敷設施工して床暖房装置を構成することが提案されている。
【０００８】
しかしながらこの床暖房装置もまた床を直接温める方式であることから、温めようとする床面全面に亘って配管を敷設しなければならない点で上記方式のものと変わりはなく、全室に亘って床面を暖房するときには施工が大掛かりで多大なコストがかかる問題がある。
【０００９】
これに対し、床下空間を温めることによって間接的に床を温めるようになした床暖房装置が提案されている。図３はその一例を示している（特開平１−９８８２８）。
このものは床下空間２１８内部に温水パイプ２２０を配設し、ボイラ２２２からの温水を、温水パイプ２２０に供給して床下空間２１８を温め、床暖房するようになしたものである。
しかしながらこの装置の場合、床下空間２１８を介しての床暖房の効率が低く、また別途に室内の換気装置を設けなければならない問題がある。
【００１０】
【課題を解決するための手段】
本願の床暖房装置はこのような課題を解決するために案出されたものである。
而して請求項１の床暖房装置は、温風を流通させる温風ダクトを床下に配設するとともに、床上吹出口を有する吹出部材を該床上吹出口が室内に露出するように該温風ダクトに連通する状態で設け、更に該温風ダクトには床下吹出口を設けて、該温風ダクトを通じて送った温風の一部を該床下吹出口から床下空間に吹き出させるとともに他の一部を前記床上吹出口から室内に吹き出させるようになし、該温風ダクトは空気の加熱装置から延び出させるとともに再び該加熱装置へと戻るように配管し、該温風ダクトを通じて且つ該加熱装置を通るように温風を循環・流通させるようになし、更に前記床下吹出口を前記温風ダクトにおける前記吹出部材の上流側の送出管側に設けるとともに、下流側の戻り管側に床下空間の空気の吸入口を設けたことを特徴とする。
【００１１】
【作用及び発明の効果】
上記のように本発明の床暖房装置は、温風を流通させる温風ダクトを床下に配設して、その温風ダクトを通じて温風を流通させるとともに、その温風の一部を、温風ダクトに設けた床下吹出口から床下に吹き出させて床下空間を温め、また更に温風の残りの一部を床上の室内に露出する床上吹出口から床上の室内に吹き出させるようになしたもので、この床暖房装置の場合、床下に温風ダクトを配設するだけで簡単に床暖房を行うことができる。
【００１２】
またその温風ダクト内を流通する温風の一部が室内にも吹き出されるため、室内の換気をも併せて行うことができる。
ここで上記床上吹出口からの温風の吹出量は、室内の換気に必要且つ十分な吹出量とすることができる。
【００１３】
本発明の装置は床からの暖房によって室内を温めることができるため、上記床上吹出口を有する吹出部材を主要素とする室内暖房用のヒータを可及的にコンパクトに構成することができ、或いはかかるヒータを省略することも可能である。
【００１４】
また本発明の装置は、上記温風ダクトを空気の加熱装置から延び出させるとともに再び加熱装置へと戻るように配管し、この温風ダクトを通じて温風を循環・流通させるようになしており、このようにすれば、温風ダクトを通じて流通する温風を床下空間内に全部吹き出さなくても良く、床下吹出口の開口の大きさ，床下吹出口の数等を変化させることによって、床下空間への温風の吹出量を調整することができる。
【００１５】
更に本発明の装置は、上記温風ダクトにおける上記吹出部材の上流側の送出管側に床下吹出口を設ける一方、下流側の戻り管の側に床下空気の吸入口を設けていることから、床下空間内の空気を温風ダクトを通じて循環させることができる。
【００１６】
【実施例】
次に本発明の実施例を図面に基づいて詳しく説明する。
図１において１０は床で、１２は断熱材１４により側面と下面とを覆われた床下空間で、この床下空間１２内部に温風ダクト１６が配設されている。
１８は床上吹出口２０を有する吹出部材で床１０上に、即ち室内２２内部に露出する状態で設けられており、この吹出部材１８を主要素として小型のエアパネルヒータ２４が構成されている。
【００１７】
上記温風ダクト１６は、吹出部材１８の上流部分である送出管１６Ａと下流部分の戻り管１６Ｂとから成っており、その送出管１６Ａに複数の床下吹出口２６が設けられている。また戻り管１６Ｂには吸入口２８が設けられている。
【００１８】
ここで床下吹出口２６は、温風ダクト１６内を流通する温風を床下空間１２に吹き出す部分であり、また吸入口２８は床下空間１２内部の空気を温風ダクト１６内部に吸入する部分である。
即ち、送出管１６Ａでは吹出部材１８からの温風吹出しの抵抗に基づいて正圧がかかった状態にあり、その圧力に基づいて温風ダクト１６内の温風が床下空間１２内部に吹き出される。
一方戻り管１６Ｂは若干負圧気味にあり、その負圧に基づいて吸入口２８から床下空間１２内部の空気が温風ダクト１６内部に吸入される。
【００１９】
３０は空気の加熱装置でボイラ部３２と加熱部３４とを有している。そして温風ダクト１６はこの加熱部３４から延び出しており、床下空間１２内部を一巡した後、この加熱部３４へと戻っている。
尚、３６は送風ファンである。
【００２０】
３８は室内２２に開口する換気口で、４０はこの換気口３８に続く排気ダクトである。この排気ダクト４０は屋外で開口する排気口４２へと至っている。
４４は同じく屋外に開口する空気取入口で、ここより吸入された空気が空気供給管４６を通じて上記加熱装置３０へと供給される。
【００２１】
これら排気ダクト４０と空気供給管４６との間には熱交換器４８がそれらにまたがるように設けられており、供給空気と排気との間で熱交換が行われるようになっている。
即ち屋外に排出される排気の有する熱によって、空気取入口４４から吸入される空気が温められ、その温められた空気が加熱装置３０の加熱部３４へと供給されるようになっている。
【００２２】
次に本例の装置の作用を説明する。
本例の装置では、空気取入口４４から吸入された空気が熱交換器４８で温められた上、空気供給管４６を通じて加熱装置３０の加熱部３４へと供給される。
【００２３】
そしてそこで更に加熱された温風が、床下空間１２内部に配設された温風ダクト１６を通じて加熱装置３０から送り出される。送り出された温風はその一部が送出管１６Ａに設けられた床下吹出口２６から床下空間１２内部に吹き出される。
【００２４】
温風ダクト１６を通じて送り出された温風は、更にその残りの一部が室内２２に露出する吹出部材１８の床上吹出口２０から室内２２に吹き出され、そして残りの部分が戻り管１６Ｂを通じて加熱装置３０へと戻される。
その際若干負圧気味にある戻り管１６Ｂの吸入口２８を通じて床下空間１２内部の空気の一部が戻り管１６Ｂ内に吸入されて加熱装置３０へと送られる。
【００２５】
本例において、吹出部材１８の床上吹出口２０からの温風の吹出量は室内２２を換気するに必要且つ十分な吹出量とされており、そしてその吹出量に対応する量で、室内２２の空気が換気口３８から排気ダクト４０内部に導かれ、そして排気口４２から屋外に排出される。
【００２６】
そのとき排気は熱交換器４８を通過して流れ、その熱交換器４８を通過する過程で排気の有する熱が空気取入口４４を通じて吸入された空気に受け渡される。
尚、上記吹出部材１８を主要素とするエアパネルヒータ２４は専ら輻射熱によって室内２２を温める。
【００２７】
本例の装置の場合、床下空間１２を温めることによって床暖房を行うことができるとともに、室内２２に露出するエアパネルヒータ２４からの輻射熱によっても室内２２を温めることができる。
【００２８】
このように本例の装置は、床１０を通じての暖房とエアパネルヒータ２４を通じての暖房とを併せて行うことができるものであり、室内２２の暖房を効果的に行うことができるとともに、床下吹出口２６からの温風の吹出量を調節することによって、エアパネルヒータ２４による暖房と床下暖房の寄与率を調節することができる。
【００２９】
例えば床下吹出口２６からの温風吹出量を十分な量とすることによってエアパネルヒータ２４自身を小型化し、又は省略することが可能となる。
この場合、吹出部材１８は専ら室内２２の換気のためだけを目的として床上吹出口２０から温風を吹き出すこととなる。
【００３０】
本例の装置の場合、室内２２を暖房するのと併せて室内２２の換気をも同時に行うことができる。その際、温風ダクト１６を通じて送られた温風が全て室内２２に吹き出されず、その一部のみが、即ち換気に必要且つ十分な量のみ室内２２に温風が吹き出されるため、室内にあって強い気流を感じるといったことがなく、その気流によって不快感が惹起される不都合もない。
更に本例の装置の場合、排気の持つ熱を暖房用の熱として効果的に回収し利用しているため、熱効率も高い特長がある。
【００３１】
以上本発明の実施例を詳述したがこれはあくまで一例示である。
例えば上例では床下空間１２内部の空気を一部吸入口２８から温風ダクト１６内部に吸入させるようにしているが、かかる吸入口２８を省略し、床下空間１２内部の空気全体を、別途に設けた床下空気の換気口を通じて外部に排出するようになすことも可能であるし、また上記の床下吹出口２６の数を適宜に増減することも可能であり、場合によっては床下吹出口２６を１個のみ温風ダクト１６に設けるといったことも可能である。
【００３２】
その他本発明は、床下空間１２内の温風ダクト１６を床１０全面に沿って巡らせて、その温風ダクト１６に多数の床下吹出口２６を適宜の間隔で多数分散状に配置し、それらから温風を吹き出させて床１０全体を均等に温めるようにするといったことも可能である。
また熱交換器４８を省略することも可能であるし、吹出部材を温風ダクトと一体の部材ないし温風ダクト自体で構成することも可能であるなど、本発明はその主旨を逸脱しない範囲において種々変更を加えた形態で構成可能である。
【図面の簡単な説明】
【図１】  本発明の一実施例である床暖房装置の図である。
【図２】  従来の床暖房装置の例を示す図である。
【図３】  床下空間を温めることによって床暖房を行う従来の一例を示す図である。
【符号の説明】
１０  床
１２  床下空間
１６  温風ダクト
１６Ａ  送出管
１６Ｂ  戻り管
１８  吹出部材
２０  床上吹出口
２２  室内
２４  エアパネルヒータ
２６  床下吹出口
２８  吸入口
３０  加熱装置
３８  換気口
４０  排気ダクト
４２  排気口
４６  空気供給管
４８  熱交換器
【図１】
0003898284.tif 000002
【図２】
0003898284.tif 000003
【図３】
0003898284.tif 000004